(57)【特許請求の範囲】
【請求項１】
専用狭域通信を用いて路側器との間で通信を行う情報端末装置であって、
ＩＰ系の通信方式に従ったＩＰ系情報を、前記路側器から受信するＩＰ系情報受信手段と、
前記ＩＰ系の通信方式に依らない非ＩＰ系情報を、前記路側器から受信する非ＩＰ系情報受信手段と、
前記ＩＰ系情報に対応するＩＰ系画面及び前記非ＩＰ系情報に対応する非ＩＰ系画面を表示することで、前記ＩＰ系情報及び前記非ＩＰ系情報を用いた処理を行う処理手段と、
ユーザに操作させる情報の内容がユーザの操作性を優先すべき内容である場合には、少なくとも前記非ＩＰ系画面を表示させ、前記情報の内容が情報の選択性を優先すべき内容である場合には、少なくとも前記ＩＰ系画面を表示させる表示制御手段と、
を備えることを特徴とする情報端末装置。
【請求項２】
前記表示制御手段は、表示画面を分割して、前記ＩＰ系画面及び前記非ＩＰ系画面の両方を同時に表示させることを特徴とする請求項１に記載の情報端末装置。
【請求項３】
前記表示制御手段は、前記ＩＰ系画面の表示領域及び前記非ＩＰ系画面の表示領域のサイズを変更する制御を行うことを特徴とする請求項２に記載の情報端末装置。
【請求項４】
請求項１乃至３のいずれか一項に記載の情報端末装置と、
前記情報端末装置に対して、前記ＩＰ系情報及び前記非ＩＰ系情報を送信する路側器と、を備えることを特徴とする通信システム。
【請求項５】
専用狭域通信を用いて路側器との間で通信を行う装置によって実行される情報処理方法であって、
ＩＰ系の通信方式に従ったＩＰ系情報を、前記路側器から受信するＩＰ系情報受信工程と、
前記ＩＰ系の通信方式に依らない非ＩＰ系情報を、前記路側器から受信する非ＩＰ系情報受信工程と、
前記ＩＰ系情報に対応するＩＰ系画面及び前記非ＩＰ系情報に対応する非ＩＰ系画面を表示することで、前記ＩＰ系情報及び前記非ＩＰ系情報を用いた処理を行う処理工程と、
ユーザに操作させる情報の内容がユーザの操作性を優先すべき内容である場合には、少なくとも前記非ＩＰ系画面を表示させ、前記情報の内容が情報の選択性を優先すべき内容である場合には、少なくとも前記ＩＰ系画面を表示させる表示制御工程と、
を備えることを特徴とする情報処理方法。
【請求項６】
コンピュータを備え、専用狭域通信を用いて路側器との間で通信を行う装置によって実行される情報処理プログラムであって、
前記コンピュータを、
ＩＰ系の通信方式に従ったＩＰ系情報を、前記路側器から受信するＩＰ系情報受信手段、
前記ＩＰ系の通信方式に依らない非ＩＰ系情報を、前記路側器から受信する非ＩＰ系情報受信手段、
前記ＩＰ系情報に対応するＩＰ系画面及び前記非ＩＰ系情報に対応する非ＩＰ系画面を表示することで、前記ＩＰ系情報及び前記非ＩＰ系情報を用いた処理を行う処理手段、
ユーザに操作させる情報の内容がユーザの操作性を優先すべき内容である場合には、少なくとも前記非ＩＰ系画面を表示させ、前記情報の内容が情報の選択性を優先すべき内容である場合には、少なくとも前記ＩＰ系画面を表示させる表示制御手段、
として機能させることを特徴とする情報処理プログラム。
【発明の詳細な説明】
【技術分野】
【０００１】
本発明は、専用狭域通信を用いて路側器との間で通信を行う情報端末装置に関する。
【背景技術】
【０００２】
近年、専用狭域通信（ＤＳＲＣ：Ｄｅｄｉｃａｔｅｄ  Ｓｈｏｒｔ  Ｒａｎｇｅ  Ｃｏｍｍｕｎｉｃａｔｉｏｎ）を用いて、路側器と車両に搭載された車載器との間で無線通信を行う路車間通信システムが普及しつつある。例えば、特許文献１には、インターネットプロトコル（ＩＰ）に従ったＩＰ系の通信と、このようなインターネットプロトコルに依らない非ＩＰ系の通信とを利用する路車間通信システムが提案されている。具体的には、この路車間通信システムでは、非ＩＰ系情報に対応する画面が表示されている際に、ＩＰ系情報が受信された場合、つまりＩＰ系情報が割り込んだ場合、当該ＩＰ系情報に対応する画面を表示する。
【先行技術文献】
【特許文献】
【０００３】
【特許文献１】特開２００５−２４１２５８号公報
【発明の概要】
【発明が解決しようとする課題】
【０００４】
ところで、非ＩＰ系情報は、ユーザの簡単な操作で処理可能な情報に利用することが検討されている。具体的には、非ＩＰ系情報は、ユーザに肯定（はい）及び否定（いいえ）のいずれかを選択させる場合に利用することが考えられる。一例としては、有料施設の使用や商品の購入の際の決済等が挙げられる。また、非ＩＰ系情報は、車両が走行中に受信する交通情報やＥＴＣ（有料道路自動料金授受システム）での情報としても用いられ、短期間で送受信が可能な情報が想定されている。一方、ＩＰ系情報は、ブラウザによってユーザに多くの情報を提供する場合に利用することが検討されている。具体的には、ＩＰ系情報は、複数の画像や選択肢を提供することで、複数の選択肢の中からユーザに自由に選択を行わせる場合に利用することが考えられる。ただし、ＩＰ系情報は、多くの情報を提供するため、非ＩＰ系情報よりも情報を表示するまでに時間がかかる傾向にある。以上のことから、非ＩＰ系情報は操作が簡単であるといった利点を有していると言え、ＩＰ系情報は選択性が高いといった利点を有していると言える。
【０００５】
なお、上記した特許文献１に記載された技術では、このようなＩＰ系情報及び非ＩＰ系情報の利点を活かして、ＩＰ系情報及び非ＩＰ系情報を併用して適切に処理を行うことはできなかった。
【０００６】
本発明が解決しようとする課題は上記のようなものが例として挙げられる。本発明は、ＩＰ系情報及び非ＩＰ系情報を併用して効率的に処理を行うことが可能な情報端末装置、情報処理方法、及び情報処理プログラムを提供することを課題とする。
【課題を解決するための手段】
【０００７】
請求項１に記載の発明では、専用狭域通信を用いて路側器との間で通信を行う情報端末装置は、ＩＰ系の通信方式に従ったＩＰ系情報を、前記路側器から受信するＩＰ系情報受信手段と、前記ＩＰ系の通信方式に依らない非ＩＰ系情報を、前記路側器から受信する非ＩＰ系情報受信手段と、前記ＩＰ系情報に対応するＩＰ系画面及び前記非ＩＰ系情報に対応する非ＩＰ系画面を表示することで、前記ＩＰ系情報及び前記非ＩＰ系情報を用いた処理を行う処理手段と、ユーザに操作させる情報の内容がユーザの操作性を優先すべき内容である場合には、少なくとも前記非ＩＰ系画面を表示させ、前記情報の内容が情報の選択性を優先すべき内容である場合には、少なくとも前記ＩＰ系画面を表示させる表示制御手段と、を備える。
【０００８】
請求項５に記載の発明では、専用狭域通信を用いて路側器との間で通信を行う装置によって実行される情報処理方法は、ＩＰ系の通信方式に従ったＩＰ系情報を、前記路側器から受信するＩＰ系情報受信工程と、前記ＩＰ系の通信方式に依らない非ＩＰ系情報を、前記路側器から受信する非ＩＰ系情報受信工程と、前記ＩＰ系情報に対応するＩＰ系画面及び前記非ＩＰ系情報に対応する非ＩＰ系画面を表示することで、前記ＩＰ系情報及び前記非ＩＰ系情報を用いた処理を行う処理工程と、ユーザに操作させる情報の内容がユーザの操作性を優先すべき内容である場合には、少なくとも前記非ＩＰ系画面を表示させ、前記情報の内容が情報の選択性を優先すべき内容である場合には、少なくとも前記ＩＰ系画面を表示させる表示制御工程と、を備える。
【０００９】
請求項６に記載の発明では、コンピュータを備え、専用狭域通信を用いて路側器との間で通信を行う装置によって実行される情報処理プログラムは、前記コンピュータを、ＩＰ系の通信方式に従ったＩＰ系情報を、前記路側器から受信するＩＰ系情報受信手段、前記ＩＰ系の通信方式に依らない非ＩＰ系情報を、前記路側器から受信する非ＩＰ系情報受信手段、前記ＩＰ系情報に対応するＩＰ系画面及び前記非ＩＰ系情報に対応する非ＩＰ系画面を表示することで、前記ＩＰ系情報及び前記非ＩＰ系情報を用いた処理を行う処理手段、ユーザに操作させる情報の内容がユーザの操作性を優先すべき内容である場合には、少なくとも前記非ＩＰ系画面を表示させ、前記情報の内容が情報の選択性を優先すべき内容である場合には、少なくとも前記ＩＰ系画面を表示させる表示制御手段、として機能させる。
【図面の簡単な説明】
【００１０】
【図１】実施例に係るナビゲーション装置の概略構成を示す。
【図２】実施例に係る通信システムの概略構成を示す。
【図３】非ＩＰ系画面及びＩＰ系画面の一例を示す。
【図４】本実施例に係る表示制御方法による表示画面の一例を示す。
【図５】分割表示から全画面表示への切り替えを説明するための図を示す。
【図６】本実施例における表示制御フローを示す。
【発明を実施するための形態】
【００１１】
本発明の１つの観点では、専用狭域通信を用いて路側器との間で通信を行う情報端末装置は、ＩＰ系の通信方式に従ったＩＰ系情報を、前記路側器から受信するＩＰ系情報受信手段と、前記ＩＰ系の通信方式に依らない非ＩＰ系情報を、前記路側器から受信する非ＩＰ系情報受信手段と、前記ＩＰ系情報に対応するＩＰ系画面及び前記非ＩＰ系情報に対応する非ＩＰ系画面を表示することで、前記ＩＰ系情報及び前記非ＩＰ系情報を併用して処理を行う処理手段と、を備える。
【００１２】
上記の情報端末装置は、路側器から専用狭域通信（ＤＳＲＣ）により受信された情報に基づいて処理を行うために好適に利用される。ＩＰ系情報受信手段は、ＩＰ系の通信方式に従ったＩＰ系情報を路側器から受信し、非ＩＰ系情報受信手段は、ＩＰ系の通信方式に依らない非ＩＰ系情報を路側器から受信する。ここで、「ＩＰ系情報」とは、ＴＣＰ／ＩＰ上で定義されるプロトコルに従った情報である。これに対し、「非ＩＰ系情報」とは、例えばＤＳＲＣ  Ａｐｐｌｉｃａｔｉｏｎ  Ｓｕｂ−Ｌａｙｅｒ仕様書で規定されるローカルポート制御プロトコルに従った情報である。
【００１３】
処理手段は、ＩＰ系情報に対応するＩＰ系画面及び非ＩＰ系情報に対応する非ＩＰ系画面を表示することで、ＩＰ系情報及び非ＩＰ系情報を併用して処理を行う。具体的には、処理手段は、ＩＰ系情報及び非ＩＰ系情報を併用して、ユーザが表示画面を操作して入力した情報に基づいて処理を行う。これにより、ＩＰ系情報及び非ＩＰ系情報の利点を活かして、効率的に処理を行うことが可能となる。
【００１４】
上記の情報端末装置の一態様では、前記処理手段は、ユーザに操作させる情報の内容に応じて、前記ＩＰ系画面及び前記非ＩＰ系画面のうちのいずれか一方又は両方を表示させる制御を行う表示制御手段を備える。この態様によれば、ユーザに適切な操作を行わせることが可能な画面を表示することができる。
【００１５】
上記の情報端末装置の他の一態様では、前記表示制御手段は、前記情報の内容が、ユーザの操作性を優先すべき内容である場合には、少なくとも前記非ＩＰ系画面を表示させ、前記情報の内容が、情報の選択性を優先すべき内容である場合には、少なくとも前記ＩＰ系画面を表示させる。
【００１６】
この態様によれば、非ＩＰ系情報が有する簡単な操作性といった利点、及びＩＰ系情報が有する高い選択性といった利点の両方を適切に活かすことで、ユーザに効率的に処理を行わせることができる。具体的には、単純な判断をユーザに求めるような場合には、非ＩＰ系画面を用いて情報を分かりやすく表示することで、ユーザに迅速な操作を行わせることができる。これに対して、ユーザが複雑な選択を行うような場合には、ＩＰ系画面を用いて詳細な情報を表示することで、ユーザに適切な選択を行わせることができる。
【００１７】
上記の情報端末装置の他の一態様では、前記表示制御手段は、表示画面を分割して、前記ＩＰ系画面及び前記非ＩＰ系画面の両方を同時に表示させる。これにより、ＩＰ系画面と非ＩＰ系画面とを画面分割により自由に表示させることができる。よって、例えばＩＰ系情報及び非ＩＰ系情報が同時に受信された場合でも、ＩＰ系画面及び非ＩＰ系画面の両方を適切に表示することが可能となる。
【００１８】
上記の情報端末装置の他の一態様では、前記表示制御手段は、前記ＩＰ系画面の表示領域及び前記非ＩＰ系画面の表示領域のサイズを変更する制御を行う。これにより、ユーザにとって見易い画面を、適切に表示させることができる。
【００１９】
上記の情報端末装置において好適には、前記表示制御手段は、前記ＩＰ系画面のみが表示されている際に前記非ＩＰ系情報が受信された場合、前記ＩＰ系画面の表示領域のサイズを小さくして、当該ＩＰ系画面以外の表示領域に、前記非ＩＰ系情報に対応する非ＩＰ系画面を表示させ、前記非ＩＰ系画面のみが表示されている際に前記ＩＰ系情報が受信された場合、前記非ＩＰ系画面の表示領域のサイズを小さくして、当該非ＩＰ系画面以外の表示領域に、前記ＩＰ系情報に対応するＩＰ系画面を表示させる。
【００２０】
上記の情報端末装置の他の一態様では、前記表示制御手段は、前記ＩＰ系画面と前記非ＩＰ系画面との間で表示画面を切り替える制御を行う。これにより、例えばユーザが利用する情報が非ＩＰ系情報とＩＰ系情報との間で切り替わった場合に、ＩＰ系画面と非ＩＰ系画面との間で適切に表示画面を切り替えることができる。
【００２１】
上記の情報端末装置の他の一態様では、前記ＩＰ系情報と前記非ＩＰ系情報とは、同一のサービスに対応する情報であり、前記処理手段は、ユーザが前記ＩＰ系画面を操作することで入力した情報、及びユーザが前記非ＩＰ系画面を操作することで入力した情報を組み合わせて用いることで、前記サービスについての処理を行う。
【００２２】
この態様では、処理手段は、ＩＰ系画面及び／又は非ＩＰ系画面を順次表示することで、ユーザが表示画面を操作して入力した情報を取得していき、取得された情報を順次用いることによって１つのサービスに関する処理を完了させる。これにより、１つのサービスに関する処理を効率的に行うことが可能となる。
【００２３】
好適には、前記ＩＰ系画面は、ユーザにより選択可能な３以上の選択肢に対応する情報が表示された画面であり、前記非ＩＰ系画面は、ユーザに肯定及び否定のいずれかを選択させるための情報が表示された画面である。
【００２４】
この場合、好適な例では、前記ＩＰ系画面は、ユーザに商品を選択させる場合に表示され、前記非ＩＰ系画面は、ユーザに決済を行わせる場合に表示される。
【００２５】
上記の情報端末装置は、当該情報端末装置に対して、ＩＰ系情報及び非ＩＰ系情報を送信する路側器を備えた通信システムに好適に適用することができる。
【００２６】
本発明の他の観点では、専用狭域通信を用いて路側器との間で通信を行う装置によって実行される情報処理方法は、ＩＰ系の通信方式に従ったＩＰ系情報を、前記路側器から受信するＩＰ系情報受信工程と、前記ＩＰ系の通信方式に依らない非ＩＰ系情報を、前記路側器から受信する非ＩＰ系情報受信工程と、前記ＩＰ系情報に対応するＩＰ系画面及び前記非ＩＰ系情報に対応する非ＩＰ系画面を表示することで、前記ＩＰ系情報及び前記非ＩＰ系情報を併用して処理を行う処理工程と、を備える。
【００２７】
本発明の更に他の観点では、コンピュータを備え、専用狭域通信を用いて路側器との間で通信を行う装置によって実行される情報処理プログラムは、前記コンピュータを、ＩＰ系の通信方式に従ったＩＰ系情報を、前記路側器から受信するＩＰ系情報受信手段、前記ＩＰ系の通信方式に依らない非ＩＰ系情報を、前記路側器から受信する非ＩＰ系情報受信手段、前記ＩＰ系情報に対応するＩＰ系画面及び前記非ＩＰ系情報に対応する非ＩＰ系画面を表示することで、前記ＩＰ系情報及び前記非ＩＰ系情報を併用して処理を行う処理手段、として機能させる。
【００２８】
上記の情報処理方法及び情報処理プログラムによっても、ＩＰ系情報及び非ＩＰ系情報の利点を活かして、効率的に処理を行うことが可能となる。
【実施例】
【００２９】
以下、図面を参照して本発明の好適な実施例について説明する。なお、以下の説明は、本発明を車両用のナビゲーション装置に適用した例を示す。
【００３０】
［ナビゲーション装置］
図１に、ナビゲーション装置１の構成を示す。図１に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０、及び入力装置６０を備える。
【００３１】
自立測位装置１０は、加速度センサ１１、角速度センサ１２及び距離センサ１３を備え、自立測位センサとして機能する。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００３２】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００３３】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ナビゲーション装置１全体の制御を行う。
【００３４】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００３５】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００３６】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００３７】
データ記憶ユニット３６は、例えば、ＨＤＤなどにより構成され、地図データや施設データなどのナビゲーション処理に用いられる各種データを記憶するユニットである。
【００３８】
通信装置３８は、例えば、ＦＭチューナやビーコンレシーバ、携帯電話や専用の通信カードなどにより構成され、通信用インタフェース３７を介して、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ）（登録商標）センタなどから配信される情報を取得する。
【００３９】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。
【００４０】
音声出力ユニット５０は、システムコントローラ２０の制御の下、ＣＤ−ＲＯＭドライブ３１又はＤＶＤ−ＲＯＭ３２、又はＢＤ−ＲＯＭ、若しくはＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００４１】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００４２】
［通信システム］
次に、図２を参照して、上記したナビゲーション装置１を適用した通信システム１００について説明する。図２は、ナビゲーション装置１が適用された通信システム１００の概略構成を示す。
【００４３】
通信システム１００は、主に、ＤＳＲＣ路側器９１と、ＤＳＲＣ車載器９２と、ナビゲーション装置１とを備える。なお、図２では、ナビゲーション装置１について、路車間通信を行う場合の最小限の構成要素のみを図示している。
【００４４】
通信システム１００は、ＤＳＲＣ路側器９１とＤＳＲＣ車載器９２との間で専用狭域通信（ＤＳＲＣ）を行う路車間通信システムである。ＤＳＲＣ路側器９１は、道路や駐車場やファストフード店等に設置され、ＩＰ系の通信及び非ＩＰ系の通信を行うことが可能に構成されている。ＩＰ系の通信を行う場合、ＤＳＲＣ路側器９１は、例えばインターネット接続によりｗｗｗサーバ（不図示）にアクセスする。ＤＳＲＣ路側器９１は、取得したＩＰ系情報及び非ＩＰ系情報をＤＳＲＣ車載器９２へ送信する。
【００４５】
ＤＳＲＣ車載器９２は、車両に搭載され、ＤＳＲＣ路側器９１から送信されたＩＰ系情報及び非ＩＰ系情報を受信する。また、ＤＳＲＣ車載器９２は、個人情報の認証などを行うためのＩＣカードを有する。ＤＳＲＣ車載器９２は、受信したＩＰ系情報及び非ＩＰ系情報をナビゲーション装置１へ送信する。このように、ＤＳＲＣ車載器９２は、ＩＰ系情報受信手段及び非ＩＰ系情報受信手段として機能する。
【００４６】
ナビゲーション装置１は、主に、システムコントローラ２０と、通信装置３８と、表示ユニット４０と、を備える。通信装置３８は、ＤＳＲＣ車載器９２から送信されたＩＰ系情報及び非ＩＰ系情報を受信し、ＩＰ系情報及び非ＩＰ系情報をシステムコントローラ２０に出力する。
【００４７】
システムコントローラ２０は、ＩＰ系制御部２０ａと、非ＩＰ系制御部２０ｂと、ブラウザ２０ｃと、ナビ用ＵＩ（Ｕｓｅｒ  Ｉｎｔｅｒｆａｃｅ）２０ｄとを備える。ＩＰ系制御部２０ａは、ＩＰ系情報に対する制御を行う。ブラウザ２０ｃは、ＩＰ系制御部２０ａによる制御後のＩＰ系情報を用いて、当該ＩＰ系情報を表示するための処理を行う。非ＩＰ系制御部２０ｂは、通常のナビゲーション画面に関する制御を行うと共に、非ＩＰ系情報に対する制御を行う。ナビ用ＵＩ２０ｄは、通常のナビゲーション画面を表示するための処理を行うと共に、非ＩＰ系制御部２０ｂによる制御後の非ＩＰ系情報を用いて、当該非ＩＰ系情報を表示するための処理を行う。
【００４８】
表示ユニット４０は、ブラウザ２０ｃによる処理後のＩＰ系情報に基づいて当該ＩＰ系情報に対応するＩＰ系画面を表示すると共に、ナビ用ＵＩ２０ｄによる処理後の非ＩＰ系情報に基づいて当該非ＩＰ系情報に対応する非ＩＰ系画面を表示する。また、表示ユニット４０は、ディスプレイ４４がタッチパネル方式で構成されており、ユーザがディスプレイ４４を操作することで入力した情報を取得する。
【００４９】
本実施例では、表示ユニット４０は、システムコントローラ２０によって、ＩＰ系画面及び非ＩＰ系画面の両方を同時に表示させる制御、若しくは、ＩＰ系画面と非ＩＰ系画面との間で表示画面を切り替える制御が行われる。
【００５０】
［ＩＰ系情報及び非ＩＰ系情報］
次に、非ＩＰ系情報及びＩＰ系情報について具体的に説明する。
【００５１】
非ＩＰ系情報は、ユーザの簡単な操作で処理可能な情報に利用することが検討されている。具体的には、非ＩＰ系情報は、ユーザに肯定（はい）及び否定（いいえ）のいずれかを選択させる場合に利用することが考えられる。この場合、非ＩＰ系画面には、プッシュ型情報として画像や文字などが表示されると共に、指示情報として金額や時間などが表示される。また、ユーザの確認に用いるために、「はい」及び「いいえ」のボタンが表示される。例えば、非ＩＰ系情報の利用シーンとしては、駐車場決済など決まったサービスや決済が挙げられる。このようなことから、非ＩＰ系情報は、少ない情報量で視認性が高いといった利点や、仕組み上選択が２者択一で操作が簡単であるといった利点を有していると言える。但し、非ＩＰ系情報は、基本的には、複数の選択肢の中からユーザに自由に選択を行わせることはできない。
【００５２】
一方、ＩＰ系情報は、ブラウザを用いて、サービス側がユーザに対して多くの情報を提供する場合に利用することが検討されている。具体的には、ＩＰ系情報は、複数の画像や選択肢を提供することで、複数の選択肢の中からユーザに自由に選択を行わせる場合に利用することが考えられる。例えば、ＩＰ系情報の利用シーンとしては、多くの商品を比較するショッピングサイトが挙げられる。このようなことから、ＩＰ系情報は、情報についての選択性が高いといった利点を有していると言える。但し、ＩＰ系情報は、スクロール等の操作に手間がかかってしまったり、ｈｔｍｌや画像の処理に時間がかかってしまったりする傾向にある。
【００５３】
ここで、図３を参照して、非ＩＰ系画面及びＩＰ系画面の一例について説明する。図３（ａ）は、非ＩＰ系画面の一例を示している。この非ＩＰ系画面には、商品が示された画像Ａ１と、当該商品の金額が示された画像Ａ２と、ユーザの確認に用いられる画像Ａ３とが表示される。画像Ａ１はプッシュ型情報に相当する画像であり、画像Ａ２は指示情報に相当する画像である。また、画像Ａ３には、肯定を選択するための「はい」が示されたボタンＡ３ａと、否定を選択するための「いいえ」が示されたボタンＡ３ｂとが表示される。なお、非ＩＰ系画面は、ナビゲーション装置１のシステムコントローラ２０内の非ＩＰ系制御部２０ｂ及びナビ用ＵＩ２０ｄによって作成される。
【００５４】
図３（ｂ）は、ＩＰ系画面の一例を示している。このＩＰ系画面は、ブラウザによって生成された画面Ａ５（以下、適宜「ブラウザ画面」と表記する。）で構成される。ブラウザ画面Ａ５には、複数の画像や選択肢などが表示される。なお、ＩＰ系画面は、ナビゲーション装置１のシステムコントローラ２０内のＩＰ系制御部２０ａ及びブラウザ２０ｃによって作成される。
【００５５】
［表示制御方法］
次に、本実施例においてシステムコントローラ２０が実行する表示制御方法について説明する。
【００５６】
本実施例では、システムコントローラ２０は、１つのサービスに関して、ＩＰ系情報及び非ＩＰ系情報を併用して処理を行う。具体的には、システムコントローラ２０は、ＩＰ系画面及び非ＩＰ系画面のうちのいずれか一方又は両方を表示させる制御を行って、ユーザに当該表示画面を操作させることによって、ユーザから情報を得る。そして、システムコントローラ２０は、ユーザがＩＰ系画面を操作することで入力した情報及び非ＩＰ系画面を操作することで入力した情報を組み合わせて用いることで、１つのサービスに関する処理を行う。つまり、システムコントローラ２０は、ＩＰ系画面及び／又は非ＩＰ系画面を順次表示することで、ユーザが表示画面を操作して入力した情報を取得していき、取得された情報を順次用いることによって１つのサービスに関する処理を完了させる。
【００５７】
詳しくは、本実施例では、システムコントローラ２０は、前述したようなＩＰ系情報及び非ＩＰ系情報の利点を考慮して、ユーザに操作させる情報の内容に応じて、ＩＰ系画面及び非ＩＰ系画面のうちのいずれか一方又は両方を表示させる制御を行う。この場合、システムコントローラ２０は、ユーザの操作性を優先させるべき状況では、少なくとも非ＩＰ系画面を表示させ、これに対し、情報の選択性を優先させるべき状況では、少なくともＩＰ系画面を表示させる。例えば、システムコントローラ２０は、ユーザに商品を選択させる場合にはＩＰ系画面を表示させ、ユーザに決済を行わせる場合には非ＩＰ系画面を表示させる。
【００５８】
更に、本実施例では、システムコントローラ２０は、受信されたサービスの内容やユーザの操作などに応じて、表示画面を分割してＩＰ系画面及び非ＩＰ系画面の両方を同時に表示させたり（以下、適宜「分割表示」と呼ぶ。）、ＩＰ系画面と非ＩＰ系画面との間で表示画面を切り替えたりする。システムコントローラ２０は、例えばユーザが利用する情報が非ＩＰ系情報とＩＰ系情報との間で切り替わった場合に、このような分割表示や表示画面の切り替えを行う。また、システムコントローラ２０は、例えば非ＩＰ系情報及びＩＰ系情報が同時に受信された場合に、分割表示を行う。このように、システムコントローラ２０は、処理手段及び表示制御手段として機能する。
【００５９】
以上説明した表示制御方法によれば、ＩＰ系情報及び非ＩＰ系情報を併用することで、効率的に処理を行うことが可能となる。具体的には、非ＩＰ系情報が有する簡単な操作性といった利点、及びＩＰ系情報が有する高い選択性といった利点の両方を適切に活かすことで、ユーザに効率的に処理を行わせることができる。つまり、単純な判断をユーザに求めるような場合には、非ＩＰ系画面を用いて情報を分かりやすく表示することで、ユーザに迅速な操作を行わせることができる。これに対して、ユーザが複雑な選択を行うような場合には、ＩＰ系画面を用いて詳細な情報を表示することで、ユーザに適切な選択を行わせることができる。
【００６０】
（表示画面例）
次に、図４を参照して、前述した表示制御方法による表示画面の一例について説明する。以下で説明する表示画面は、例えば、ファストフード店のドライブスルーで商品を購入する場合に表示される。なお、表示画面は、ナビゲーション装置１のシステムコントローラ２０によって生成され、表示ユニット４０のディスプレイ４４に表示される。
【００６１】
図４（ａ）は、ＤＳＲＣ車載器９２若しくはナビゲーション装置１がＤＳＲＣの情報を検知した際に表示される画面Ｂ１を示している。画面Ｂ１は、非ＩＰ系画面であり、Ｗｅｂを用いて商品を選ぶか否かをユーザに選択させるために用いられる。このような状況では、ユーザに２者択一を行わせるため、ユーザの操作性の観点から、非ＩＰ系画面を用いている。
【００６２】
具体的には、画面Ｂ１には、Ｗｅｂを用いて商品を選ぶか否かをユーザに選択させるためのメッセージが示された画像Ｂ１ａと、ユーザの確認に用いられる画像Ｂ１ｂとが表示される。画像Ｂ１ｂには、肯定を選択するための「はい」が示されたボタンＢ１ｂ１と、否定を選択するための「いいえ」が示されたボタンＢ１ｂ２とが表示される。なお、ナビゲーション装置１がＷｅｂを使用できないような場合には、Ｗｅｂを用いて商品を選ぶことはできない。
【００６３】
図４（ｂ）は、ユーザが画面Ｂ１を用いてＷｅｂで商品を選ぶとの選択を行った後に表示される画面Ｂ２を示している。画面Ｂ２は、分割表示された画面に相当する。具体的には、画面Ｂ２は、図４（ａ）で示した画面Ｂ１（非ＩＰ系画面）が画面の横方向に半分のサイズに縮小されて表示された画面Ｂ２ａと（矢印Ｃ１参照）、当該画面Ｂ２ａ以外の表示領域に新たに表示された画面Ｂ２ｂとから構成されている。新たに表示された画面Ｂ２ｂは、ＩＰ系画面であり、インターネット情報が受信されたことを通知するために表示される。このように、画面Ｂ２は、１つの画面が分割されて、非ＩＰ系画面である画面Ｂ２ａとＩＰ系画面である画面Ｂ２ｂとが同時に表示されている。この画面Ｂ２は、ユーザがナビゲーション装置１の表示設定を分割表示に設定した場合に表示される。なお、ユーザがＷｅｂで商品を選ぶとの選択を行っているため、基本的には、ユーザは非ＩＰ系画面である画面Ｂ２ａを操作することはできない。即ち、画面Ｂ２ａはアクティブではない。
【００６４】
ＩＰ系画面である画面Ｂ２ｂには、インターネット情報が受信されたことを通知するため及びブラウザを開くか否かをユーザに選択させるためのメッセージが示された画像Ｂ２ｂ１が表示される。また、画面Ｂ２ｂには、当該選択に対して肯定を選択するための「はい」が示されたボタンＢ２ｂ２と、当該選択に対して否定を選択するための「いいえ」が示されたボタンＢ２ｂ３とが表示される。なお、インターネット情報が受信されたことの通知は、所定の設定を設けて自動起動としても良い。
【００６５】
なお、システムコントローラ２０は、図４（ａ）で示したような非ＩＰ系画面が表示されている際に、ＩＰ系情報を前もって受信しておき、当該ＩＰ系情報についての処理を裏で行うことができる。これにより、ＩＰ系情報についての処理を迅速に行うことが可能となる。
【００６６】
図４（ｃ）は、ユーザが画面Ｂ２ｂを用いてブラウザを開くとの選択を行った後において、Ｗｅｂで商品を選ぶ際に表示される画面Ｂ３を示している。画面Ｂ３も、画面Ｂ２と同様に、分割表示された画面に相当する。具体的には、画面Ｂ３は、１つの画面が分割されており、非ＩＰ系画面である画面Ｂ３ａとＩＰ系画面である画面Ｂ３ｂとが同時に表示されている。上記のようにユーザがＷｅｂで商品を選ぶとの選択を行っているため、基本的には、ユーザは非ＩＰ系画面を操作して商品を選ぶことはできない。そのため、非ＩＰ系画面である画面Ｂ３ａには、ユーザにブラウザ画面の操作を促すためのメッセージが示された画像Ｂ３ａ１が表示される。なお、ユーザがＷｅｂで商品を選ぶとの選択を行った後に表示される画面Ｂ２についても、図４（ｂ）に示した画面Ｂ２ａの代わりに、このようなメッセージが示された画像Ｂ３ａを表示しても良い。
【００６７】
ＩＰ系画面である画面Ｂ３ｂには、ブラウザ画面Ｂ３ｂ１が表示される。ブラウザ画面Ｂ３ｂ１には、商品のリスト（不図示）や、ユーザが注文する商品の金額や個数や、これらの商品の合計金額などが表示される。また、ブラウザ画面Ｂ３ｂ１には、ユーザによる商品の注文内容を確認するため、肯定を選択するための「はい」が示されたボタンＢ３ｂ２と、否定を選択するための「いいえ」が示されたボタンＢ３ｂ３とが表示される。ユーザが「はい」が示されたボタンＢ３ｂ２を押下した場合、ブラウザ画面Ｂ３ｂ１に示された商品の注文内容がＤＳＲＣ車載器９２を介してＤＳＲＣ路側器９１に送信される。
【００６８】
図４（ｄ）は、ユーザがブラウザ画面Ｂ３ｂ１を操作することで商品の注文内容が送信された後に表示される画面Ｂ４を示している。画面Ｂ４は、非ＩＰ系画面であり、商品の注文内容が送信された際にブラウザ画面Ｂ３ｂ１が自動消去されることで表示される。即ち、商品の注文内容が送信された際に、ＩＰ系画面から非ＩＰ系画面への表示画面の切り替えが行われる。具体的には、画面Ｂ４は、ＤＳＲＣによって決済するか否かをユーザに選択させるために用いられる。このような状況では、ユーザに２者択一を行わせるため、ユーザの操作性の観点から、非ＩＰ系画面を用いている。
【００６９】
画面Ｂ４には、ＤＳＲＣによって決済するか否かをユーザに選択させるためのメッセージが示された画像Ｂ４ａと、注文した商品の合計金額が示された画像Ｂ４ｂと、ユーザの確認に用いられる画像Ｂ４ｃとが表示される。画像Ｂ４ｃには、肯定を選択するための「はい」が示されたボタンＢ４ｃ１と、否定を選択するための「いいえ」が示されたボタンＢ４ｃ２とが表示される。なお、メッセージが示された画像Ｂ４ａに、ユーザが注文した商品の明細などを表示しても良い。
【００７０】
ユーザが、「はい」が示されたボタンＢ４ｃ１を押下した場合、つまりＤＳＲＣによって決済することを選択した場合、カードで決済することとなる。これに対して、ユーザが、「いいえ」が示されたボタンＢ４ｃ２を押下した場合、つまりＤＳＲＣによって決済しないことを選択した場合、現金で支払いを行うこととなる。
【００７１】
以上説明したような表示画面を用いることで、ユーザは、ＩＰ系画面及び非ＩＰ系画面をシームレスに操作することで、１つのサービスに関する処理を効率的に行うことができる。具体的には、ＩＰ系画面を用いることで、ユーザは、多くの選択肢についての選択を視覚的に行うことができ、適切な選択を行うことが可能となる。また、非ＩＰ系画面を用いることで、ユーザは、簡単な操作で決済を行うことができ、決済を迅速に行うことが可能となる。
【００７２】
なお、上記では、非ＩＰ系画面が表示されている場合に、当該非ＩＰ系画面を半分のサイズに縮小することで非ＩＰ系画面とＩＰ系画面とを同時に表示（分割表示）する例を示したが、これに限定はされない。他の例では、ＩＰ系画面が表示されている場合に、当該ＩＰ系画面を半分のサイズに縮小することでＩＰ系画面と非ＩＰ系画面とを同時に表示（分割表示）しても良い。また、上記では、ＩＰ系画面から非ＩＰ系画面へ表示画面を切り替える例を示したが、非ＩＰ系画面からＩＰ系画面へ表示画面を切り替えることも可能である。
【００７３】
更に、上記では、ユーザがＷｅｂで商品を選ぶとの選択を行った場合、つまりＩＰ系画面を操作することを選択した場合、基本的には、ユーザは非ＩＰ系画面を操作することはできないと説明した。しかしながら、ユーザがＩＰ系画面を操作することを選択した場合であっても、ユーザの意思により、ＩＰ系画面の操作から非ＩＰ系画面の操作に変更することも可能である。この場合には、ＩＰ系画面を用いて操作された内容はキャンセルされることとなる。逆に、ユーザが非ＩＰ系画面を操作することを選択した場合であっても、ユーザの意思により、非ＩＰ系画面の操作からＩＰ系画面の操作に変更することも可能である。この場合には、非ＩＰ系画面を用いて操作された内容はキャンセルされることとなる。
【００７４】
次に、図５を参照して、分割表示から全画面表示への切り替えについて説明する。本実施例では、システムコントローラ２０は、分割表示されている非ＩＰ系画面及びＩＰ系画面のいずれかの画面をユーザが操作した場合に、ユーザが操作した当該画面を全画面表示する。例えば、システムコントローラ２０は、分割表示された画面をユーザがタッチした場合に全画面表示する。更に、システムコントローラ２０は、このように全画面表示された画面をユーザが操作した場合に、元の分割表示の画面に戻す。
【００７５】
図５は、全画面表示を具体的に説明するための図を示す。図５（ａ）は、図４（ｂ）と同様の画面Ｂ２を示している。つまり、画面Ｂ２は、非ＩＰ系画面である画面Ｂ２ａとＩＰ系画面である画面Ｂ２ｂとが分割表示された画面である。図５（ｂ）は、ユーザがＩＰ系画面である画面Ｂ２ｂをタッチすることで、当該ＩＰ系画面が全画面表示された画面Ｄ１を示している。画面Ｄ１には、全画面表示から元の分割表示に戻すためのボタンＤ１ａが表示されている。図５（ｃ）は、ユーザが非ＩＰ系画面である画面Ｂ２ａをタッチすることで、当該非ＩＰ系画面が全画面表示された画面Ｄ２を示している。画面Ｄ２には、全画面表示から元の分割表示に戻すためのボタンＤ２ａが表示されている。
【００７６】
以上のように分割表示から全画面表示への切り替えを行うことにより、ユーザにとって見易い画面を、適切に表示させることができる。
【００７７】
なお、上記では、ＩＰ系画面及び非ＩＰ系画面を分割表示する場合に、非ＩＰ系画面及びＩＰ系画面のそれぞれを表示画面の半分のサイズに表示する例を示したが、これに限定はされず、分割表示する際のＩＰ系画面及び非ＩＰ系画面のサイズは自由に設定することができる。例えば、ユーザが利用する情報が非ＩＰ系情報とＩＰ系情報との間で切り替わった場合に、ＩＰ系画面及び非ＩＰ系画面のうち新たに表示するほうの画面のサイズを、元から表示している画面のサイズよりも大きくして、このような分割表示を行うことができる。一例としては、新たに表示するほうの画面を表示画面の３／４のサイズで表示し、元から表示している画面を表示画面の１／４のサイズで表示することができる。
【００７８】
また、ＩＰ系画面及び非ＩＰ系画面を分割表示する場合に、表示画面を横方向に分割することに限定はされず、表示画面を縦方向に分割しても良い。
【００７９】
更に、上記では、分割表示されている非ＩＰ系画面及びＩＰ系画面のいずれかの画面をユーザが操作した場合に、ユーザが操作した当該画面を全画面表示する例を示したが、これに限定はされない。他の例では、このような全画面表示を行う代わりに、ユーザが操作した一方の画面のサイズを、ユーザが操作しなかった他方の画面のサイズよりも大きくして表示することができる。
【００８０】
（表示制御フロー）
次に、図６を参照して、本実施例における表示制御フローについて説明する。このフローは、システムコントローラ２０によって繰り返し実行される。
【００８１】
まず、ステップＳ１０１では、システムコントローラ２０は、ＩＰ系情報又は非ＩＰ系情報が割り込んだか否かを判定する。ＩＰ系情報又は非ＩＰ系情報が割り込んだ場合（ステップＳ１０１；Ｙｅｓ）、処理はステップＳ１０２に進み、ＩＰ系情報又は非ＩＰ系情報が割り込まなかった場合（ステップＳ１０１；Ｎｏ）、処理はステップＳ１０１に戻る。
【００８２】
ステップＳ１０２では、システムコントローラ２０は、ＩＰ系情報又は非ＩＰ系情報に対応する画面を既に表示しているか否かを判定する。以下、このような表示を「既存表示」と呼ぶ。これに対して、割り込んだＩＰ系情報又は非ＩＰ系情報を用いた表示を「割り込み表示」と呼ぶ。
【００８３】
既存表示が有る場合（ステップＳ１０２；Ｙｅｓ）、処理はステップＳ１０４に進む。これに対して、既存表示が無い場合（ステップＳ１０２；Ｎｏ）、処理はステップＳ１０３に進む。ステップＳ１０３では、システムコントローラ２０は、ステップＳ１０１で割り込んだＩＰ系情報又は非ＩＰ系情報に対応する画面を表示する。つまり、システムコントローラ２０は、ＩＰ系画面及び非ＩＰ系画面のいずれか一方を単独で表示する。そして、処理は終了する。
【００８４】
ステップＳ１０４では、システムコントローラ２０は、既存表示と割り込み表示との種類が異なるか否かを判定する。具体的には、システムコントローラ２０は、既存表示及び割り込み表示のそれぞれについて用いている情報（ＩＰ系情報及び非ＩＰ系情報のいずれかの情報）の種類が異なるか否かを判定する。既存表示と割り込み表示との種類が異なる場合（ステップＳ１０４；Ｙｅｓ）、処理はステップＳ１０５に進む。これに対して、既存表示と割り込み表示との種類が同じ場合（ステップＳ１０４；Ｎｏ）、処理はステップＳ１０７に進む。ステップＳ１０７では、システムコントローラ２０は、ステップＳ１０１で割り込んだＩＰ系情報又は非ＩＰ系情報によって、既存表示に係る情報を上書きした画面を表示する。この場合には、ＩＰ系画面及び非ＩＰ系画面のいずれか一方が表示される。そして、処理は終了する。
【００８５】
ステップＳ１０５では、システムコントローラ２０は、ナビゲーション装置１の表示設定が分割表示に設定されているか否かを判定する。分割表示設定状態である場合（ステップＳ１０５；Ｙｅｓ）、処理はステップＳ１０６に進む。ステップＳ１０６では、システムコントローラ２０は、ステップＳ１０１で割り込んだＩＰ系情報又は非ＩＰ系情報を用いた割り込み表示と、既存表示とによって分割表示を行う（ステップＳ１０６）。つまり、システムコントローラ２０は、ＩＰ系画面と非ＩＰ系画面とによって分割表示を行う。そして、処理は終了する。
【００８６】
これに対して、分割表示設定状態でない場合（ステップＳ１０５；Ｎｏ）、処理はステップＳ１０７に進む。ステップＳ１０７では、システムコントローラ２０は、ステップＳ１０１で割り込んだＩＰ系情報又は非ＩＰ系情報によって、既存表示に係る情報を上書きした画面を表示する。この場合には、ＩＰ系画面と非ＩＰ系画面との間で表示画面が切り替わる。そして、処理は終了する。
【００８７】
以上説明した処理によれば、既存表示と割り込み表示との種類を比較することで、適切な表示を行うことができる。具体的には、既存表示と割り込み表示との種類が異なる場合、つまり既存表示に用いている情報と異なる情報が割り込んだ場合にも、割り込み表示及び既存表示の両方を分割表示によって同時に適切に表示させることができる。
【００８８】
［変形例］
本発明の適用は、ナビゲーション装置に限定されない。また、本発明の適用は、車載器に限定されない。本発明は、例えば携帯電話などの端末装置にも適用することができる。
【００８９】
上記では、車側の装置として、車載器及びナビゲーション装置を備えた構成を示したが、本発明の適用はこれに限定はされない。本発明は、車載器とナビゲーション装置とが一体化された構成にも適用することができる。
【００９０】
上記では、タッチパネル方式で構成された表示ユニット４０をユーザが操作することで情報を入力する構成を示したが、本発明の適用はこれに限定はされない。本発明は、キーや、スイッチや、ボタンや、リモコンや、音声などを用いてユーザが情報を入力する構成にも適用することができる。
【符号の説明】
【００９１】
１  ナビゲーション装置
２０  システムコントローラ
２０ａ  ＩＰ系制御部
２０ｂ  非ＩＰ系制御部
２０ｃ  ブラウザ
２０ｄ  ナビ用ＵＩ
３８  通信装置
４０  表示ユニット
９１  ＤＳＲＣ路側器
９２  ＤＳＲＣ車載器
１００  通信システム
【図１】
0005570183.tif 000002
【図２】
0005570183.tif 000003
【図３】
0005570183.tif 000004
【図４】
0005570183.tif 000005
【図５】
0005570183.tif 000006
【図６】
0005570183.tif 000007